(57)【特許請求の範囲】
【請求項１】
無線周波数（ＲＦ）信号を処理するための装置であって、
第１のミックス周波数を使用して前記ＲＦ信号から導き出された第１の信号をダウンコンバートするように構成された第１のダウンコンバージョンパスと、
前記第１のミックス周波数とは別個の第２のミックス周波数を使用して、前記ＲＦ信号から導き出された第２の信号をダウンコンバートするように構成された第２のダウンコンバージョンパスと、
を備え、
前記ＲＦ信号における干渉源の検出されたレベルが第１の所定のしきい値よりも低いとき、前記第１のダウンコンバージョンパスは有効にされ、かつ、前記第２のダウンコンバージョンパスは無効にされるように構成可能であり、
前記ＲＦ信号における干渉源の検出されたレベルが第２の所定のしきい値よりも大きいとき前記第１及び第２のダウンコンバージョンパスの双方が有効にされるように構成可能である、
装置。
【請求項２】
前記ＲＦ信号に存在する前記干渉源のレベルを検出するように構成された干渉源検出モジュールをさらに備える、請求項１に記載の装置。
【請求項３】
前記検出された干渉源レベルが前記第１の所定のしきい値よりも低いときに前記第２のダウンコンバージョンパスを無効にするように構成されたパス選択論理モジュールをさらに備える、請求項１に記載の装置。
【請求項４】
前記検出された干渉源レベルが前記第２の所定のしきい値よりも大きいとき、前記パス選択論理モジュールは前記第２のダウンコンバージョンパスを有効にするようにさらに構成される、請求項３に記載の装置。
【請求項５】
前記第２の所定のしきい値は、前記第１の所定のしきい値に等しい、請求項４に記載の装置。
【請求項６】
前記第１および第２のダウンコンバージョンパスの各々は、前記ＲＦ信号を局部発振器信号の同相（Ｉ）および直角位相（Ｑ）のバージョンとそれぞれミックスするように構成された２つのミキサを備える、請求項１に記載の装置。
【請求項７】
前記第１および第２のダウンコンバージョンパスの出力をデジタル化するための少なくとも１つのアナログデジタルコンバータをさらに備え、前記干渉源検出モジュールは、デジタルドメインにおいて前記干渉源のレベルを検出するように構成されたモジュールを備える、請求項２に記載の装置。
【請求項８】
前記干渉源検出モジュールは、前記デジタル化された第１のダウンコンバージョンパス出力の２乗振幅を前記デジタル化された第１のダウンコンバージョンパス出力のフィルタリングされたバージョンの２乗振幅と比較するように構成され、前記装置は、前記デジタル化された第１のダウンコンバージョンパス出力の２乗振幅が前記デジタル化された第１のダウンコンバージョンパス出力のフィルタリングされたバージョンの２乗振幅よりも大きいとき、前記第２のダウンコンバージョンパスを有効にするように構成される、請求項７に記載の装置。
【請求項９】
前記干渉源検出モジュールは、基地局から干渉源強度の指示を受信する、請求項２に記載の装置。
【請求項１０】
前記第１の所定のしきい値は、基地局から受信されたチャネル割り当て情報に依存して構成される、請求項１に記載の装置。
【請求項１１】
前記第１のダウンコンバージョンパスおよび前記第２のダウンコンバージョンパスは、ゼロＩＦコンバージョン回路を備える、請求項１に記載の装置。
【請求項１２】
前記第１の信号および前記第２の信号の両方は、単一の低雑音増幅器（ＬＮＡ）の出力から導き出される、請求項１に記載の装置。
【請求項１３】
前記第１の信号は、第１のＬＮＡおよび第１のアンテナから導き出され、前記第２の信号は、第２のＬＮＡおよび第２のアンテナから導き出される、請求項１に記載の装置。
【請求項１４】
前記第１のＬＮＡ、第１のアンテナ、および第１のダウンコンバージョンパスは、第１のチップに提供され、前記第２のＬＮＡ、第２のアンテナ、および第２のダウンコンバージョンパスは第２のチップに提供される、請求項１３に記載の装置。
【請求項１５】
前記第１のダウンコンバージョンパスおよび前記第２のダウンコンバージョンパスは低ＩＦコンバージョン回路を備える、請求項１に記載の装置。
【請求項１６】
前記第１および第２の信号は同じ信号である、請求項１に記載の装置。
【請求項１７】
無線周波数（ＲＦ）信号を処理するための方法であって、
前記ＲＦ信号から導き出された第１の信号を第１の周波数を有する第１の局部発振器信号とミックスすることと、
前記ＲＦ信号から導き出された第２の信号を前記第１の周波数とは別個の第２の周波数を有する第２の局部発振器信号とミックスすることと、
前記ＲＦ信号に存在する干渉源の検出されたレベルが第１の所定のしきい値よりも低い場合、前記第１の信号をミックスすることを有効にし、かつ、前記第２の信号をミックスすることを無効にすることと、
前記ＲＦ信号に存在する干渉源の検出されたレベルが第２の所定のしきい値よりも大きい場合、前記第１の信号をミックスすること及び前記第２の信号をミックスすることの双方を有効にすることと、
を備える方法。
【請求項１８】
前記ＲＦ信号に存在する干渉源のレベルを検出することをさらに備える、請求項１７に記載の方法。
【請求項１９】
無線周波数（ＲＦ）信号を処理するための装置であって、
第１のミックス周波数を使用して前記ＲＦ信号をダウンコンバートするための第１のダウンコンバージョン手段と、
前記第１のミックス周波数とは別個の第２のミックス周波数を使用して前記ＲＦ信号をダウンコンバートするための第２のダウンコンバージョン手段と、
を備え、
前記ＲＦ信号に存在する干渉源の検出されたレベルが第１の所定のしきい値よりも低いとき、前記第１のダウンコンバージョン手段は有効にされ、かつ、前記第２のダウンコンバージョン手段は無効にされるように構成可能であり、
前記ＲＦ信号に存在する干渉源の検出されたレベルが第２の所定のしきい値よりも大きいとき、前記第１及び第２のダウンコンバージョン手段の双方が有効にされるように構成可能である、
装置。
【請求項２０】
前記ＲＦ信号に存在する干渉源のレベルを検出するための干渉源検出手段をさらに備える、請求項１９に記載の装置。
【請求項２１】
前記検出された干渉源レベルが第１の所定のしきい値よりも低いときに第２のダウンコンバージョンパスを無効にするためのパス選択論理手段をさらに備える、請求項２０に記載の装置。
【請求項２２】
コンピュータに無線周波数（ＲＦ）信号を処理するための受信機を構成させるためのコードを備えるコンピュータプログラムであって、前記受信機は第１のミックス周波数を使用して前記ＲＦ信号から導き出された第１の信号をダウンコンバートするように構成された第１のダウンコンバージョンパスを備え、前記受信機はさらに、前記第１のミックス周波数とは別個の第２のミックス周波数を使用して前記ＲＦ信号から導き出された第２の信号をダウンコンバートするように構成された第２のダウンコンバージョンパスを備え、前記コードは、
前記コンピュータに前記ＲＦ信号に存在する干渉源のレベルを検出させるためのコードと、
前記コンピュータに、前記検出された干渉源レベルが第１の所定のしきい値よりも低いとき、前記第１のダウンコンバージョンパスを有効にさせ、かつ、前記第２のダウンコンバージョンパスを無効にさせるためのコードと、
前記コンピュータに、前記検出された干渉源レベルが第２の所定のしきい値よりも大きいとき、前記第１及び第２のダウンコンバージョンパスの双方を有効にさせるためのコードと、
を備える、コンピュータプログラム。
【発明の詳細な説明】
【米国特許法１１９条に基づく優先権の主張】
【０００１】
本願は、その譲受人に譲渡され、ここの参照によりここに明示的に組み込まれ、「DYNAMIC SWITCHING BETWEEN RECEIVERS」という名称の、２０１１年１１月９日に提出された、仮出願第６１／５５７，８３８に優先権を主張する非仮出願である。
【技術分野】
【０００２】
[0001] 本開示は、２つ以上のダウンコンバージョンパス間で切り替えるように受信機を動的に構成するための技法に関する。
【背景技術】
【０００３】
[0002] 通信回路の設計では、広帯域受信機は、マルチプルなチャネル上で情報を同時に受信するように構成されうる。このことを行うために、広帯域受信機は、各々が別個の局部発振器（ＬＯ）周波数を有する複数のＬＯと受信された無線周波数（ＲＦ）信号をミックスすることによって１つよりも多いダウンコンバージョンパスを利用することができる。例えば、所与の中央周波数における第１の受信チャネルは第１のＬＯ周波数を有する第１のＬＯを使用してダウンコンバートされうる一方で、異なる中央周波数における第２の受信チャネルは、第２のＬＯ周波数を有する第２のＬＯを使用してダウンコンバートされうる。
【０００４】
[0003] そのようなマルチプルなダウンコンバージョンパスを提供することが、各ダウンコンバージョンパスに対するチャネルフィルタおよび／または他の拒絶要件を有利に軽減する一方で、ある特定のケースでは、それは不必要に電力消費を増加させうる。例えば、ジャマーに起因した干渉レベルが比較的低いとき、マルチプルなダウンコンバージョンパスによって与えられる向上した受信性能は必要ではないことがある。
【０００５】
[0004] 受信機性能と電力消費との間のトレードオフを最適化するために広帯域受信機において使用される多くのダウンコンバージョンパスを動的に構成するための技法を提供することが望ましい。
【図面の簡単な説明】
【０００６】
【図１】本開示にしたがった受信機の実例となる実施形態を例示する図。
【図２】単一の局部発振器がダウンコンバージョンのために使用されるとき、図１において提示された受信機の信号パスに存在しうる周波数スペクトルの例を例示する図。
【図３】２つの局部発振器がダウンコンバージョンのために使用されるとき、図１において提示された受信機の信号パスに存在しうる周波数スペクトルの例を例示する図。
【図４】本開示にしたがった、２つのダウンコンバージョン信号パスを有する受信機の例示的な実施形態の図。
【図５】本開示にしたがった、１つまたは２つのダウンコンバージョンパス間で切り替えるためのスキームの実例となる実施形態を例示する図。
【図６】追加の干渉源が周波数ｆ５で存在するダウンコンバージョン前スペクトルの実例となる実施形態を例示する図。
【詳細な説明】
【０００７】
[0011] 本開示の様々な態様が添付の図面を参照してより十分に以下に記述されている。しかしながら本開示は、多くの異なる形態で具現化され、本開示全体を通して示されているあらゆる特定の構造または機能に限定されるものとして解釈すべきではない。むしろ、これらの態様は、本開示が徹底的で完全であり、当業者に本開示の範囲を十分に伝達することになるように提供される。ここでの教示に基づいて、本開示のあらゆる他の態様から独立してインプリメントされるか、または、本発明のあらゆる他の態様と組み合わせてインプリメントされるかにかかわらず、本開示の範囲が、ここで開示される本開示のあらゆる態様をカバーするように意図されることを、当業者は認識すべきである。例えば、ここで述べられるあらゆる数の大要を使用して、装置がインプリメントされ、または方法が実施されうる。加えて、発明の範囲は、ここで述べられる本開示の様々な態様に加えた、または、ここで述べられる本開示の様々な態様以外の、他の構造、機能、または、構造および機能を使用して実施されるこのような装置、または方法をカバーするように意図されている。ここで開示されている本開示のいずれの態様も請求項の１つまたは複数の要素によって実現されうることは理解されるべきである。
【０００８】
[0012] 添付図面に関係して以下で述べられる詳細な説明は、本発明の実例となる態様の記述として意図され、本発明が実施されうる唯一の実例となる態様を表すようには意図されない。本記述の全体にわたって使用される「実例となる(exemplary)」という用語は、「例、事例、または例示としての役目をする」を意味し、他の実例となる態様に対して必ずしも好ましいまたは有利であると解釈されるべきではない。詳細な説明は、本発明の実例となる態様の完全な理解を提供する目的のために特定の詳細を含む。本発明の実例となる態様は、これらの特定の詳細なしで実施されうることが当業者に明らかになるであろう。いくつかの事例では、周知の構造およびデバイスが、ここに示される実例となる態様の新規性を曖昧にすることを避けるために、ブロック図形式で提示される。本明細書および特許請求の範囲では、「モジュール」および「ブロック」という用語は、記述された動作を実行するように構成されたエンティティを指すために交換可能に使用されうる。
【０００９】
[0013] 図１は、本開示にしたがった受信機１００の実例となる実施形態を例示している。受信機１００は、実例となる目的のみのために提示され、本開示の範囲を制限するようには意図されていないことは留意されたい。例えば、２つのダウンコンバージョンパスが図１で提示されている一方で、本開示の技法は、２つ以上のダウンコンバージョンパスを有する受信機を適合させるように容易に適用されうる。そのような代わりの実例となる実施形態は、本開示の範囲内にあると考慮される。
【００１０】
[0014] 図１では、ＲＦ信号１００ａは、ＲＦ処理ブロック１１０に結合される。実例となる実施形態では、ＲＦ処理ブロック１１０は、ＲＦ信号１００ａに無線周波数処理を実行する、ＲＦフィルタ、１つまたは複数のＬＮＡなど、を含むことができる。ブロック１１０の出力は、ＲＦ処理ブロック１１０の出力をより低い周波数にダウンコンバートする、第１のダウンコンバージョンパス１３０および第２のダウンコンバージョンパス１３２に結合される。例えば、第１のダウンコンバージョンパス１３０は、ＲＦ処理ブロック１１０の出力を第１のミックス周波数を有する局部発振器（ＬＯ１）とミックスする一方で、第２のダウンコンバージョンパス１３２は、ＲＦ処理ブロック１１０の出力を第２のミックス周波数を有する局部発振器（ＬＯ２）とミックスする。本明細書および特許請求の範囲では、単一の「ダウンコンバージョンパス」は、信号を別個の周波数を有する局部発振器とミックスするように設計されたあらゆる回路を称するように理解されるだろう。例えば、単一のダウンコンバージョンパスは、信号を、単一の局部発振器の同相（Ｉ）および直角位相（Ｑ）のバージョンとミックスするためのデュアルミキサを含むことができる。
【００１１】
[0015] 実例となる実施形態では、ＬＯ１およびＬＯ２は、（例えばゼロＩＦアーキテクチャにしたがって）ＲＦ処理ブロック１１０のＲＦ出力における別個のチャネルを、それぞれゼロ周波数にミックスすることができる。代わりの例示的な実施形態では、局部発振器は、（低ＩＦアーキテクチャにしたがって）ＲＦチャネルを１つまたは複数の低中間周波数にミックスすることができる。ブロック１３０および１３２の出力は、Ａ／Ｄコンバータ（ＡＤＣ）およびデジタル処理ブロック１４０に提供される。ブロック１４０は、ブロック１３０および１３２の出力をデジタル信号にコンバートし、さらにデジタル処理ハードウェアを使用してデジタル信号を処理することができる。
【００１２】
[0016] 図１でさらに提示されているのは、パス選択論理ブロック１２５に結合された干渉源検出ブロック１２０である。以下でさらに記述されるように、ブロック１２０は、図１で提示されている信号処理パスのどこでも干渉源信号の存在を検出することができ、ブロック１２５における予めプログラミングされた論理（pre-programmed logic）は、干渉源検出のレベルを検出することに応答して、ブロック１３０および１３２のどちらかを有効または無効にすることができる。２つ以上のダウンコンバージョンパス（図示せず）を組み込む代わりの実例となる実施形態では、ブロック１２５は、いずれか１つまたは複数のダウンコンバージョンブロックを有効または無効にするように同様に構成されうる。干渉源検出ブロック１２０およびパス選択論理ブロック１２５が図１で別々のブロックとして提示されている一方で、代わりの実例となる実施形態ではそれらは単一のブロックとしてインプリメントされうることが認識されるだろうことはさらに留意されたい。
【００１３】
[0017] 図２は、対応する局部発振器（ＬＯ１）を有する単一のダウンコンバージョンパスがダウンコンバージョンのために使用されるとき、図１において提示された受信機１００の信号パスに存在しうる周波数スペクトルの例を例示している。図２では、上部の（ダウンコンバージョン前の）ＲＦ周波数スペクトルは、ｆ１、ｆ２、およびｆ４に中心を置く３つの所望の信号、およびｆ３に中心を置く干渉源を提示している。単一の局部発振器ＬＯ１は、周波数ｆＬＯ１に中心を置き、ｆＬＯ１はｆ２とｆ３との間にある。下部の（ダウンコンバージョン後の）作図は、ＬＯ１によるダウンコンバージョンの結果として生じるスペクトルを提示しており、ｆＬＯ１は現時点でゼロＩＦに対応するゼロ周波数に中心を置く状態になる。干渉源に対応する残留側帯波（ＲＳＢ）がダウンコンバージョン後のスペクトルに存在することは留意されたい。図２で提示されているように、ＲＳＢは、例えば、受信機のＩおよびＱ信号パスにおける不均衡によってダウンコンバージョン後のスペクトルにおいて生成され、所望の信号のいくつかの部分と不適切に（undesirably）干渉しうる。
【００１４】
[0018] 図３は、対応する局部発振器を有する２つのダウンコンバージョンパスがダウンコンバージョンのために使用されるとき、図１において提示された受信機１００の信号パスに存在しうる周波数スペクトルの例を例示している。図３では、上部の（ダウンコンバージョン前の）ＲＦ周波数スペクトルは、周波数ｆＬＯ１およびｆＬＯ２にそれぞれ中心を置く２つの局部発振器ＬＯ１およびＬＯ２を提示しており、ｆＬＯ１はｆ１とｆ２との間にあり、ｆＬＯ２はｆ４に対応する。下部の（ダウンコンバージョン後の）作図は、ＬＯ１およびＬＯ２によるダウンコンバージョンの結果として生じるベースバンドスペクトルを提示している。ＬＯ１を用いるダウンコンバージョンパスに関して、ベースバンドスペクトルは、ゼロＩＦの周辺の（ｆ１およびｆ２に対応する）所望の信号を提示しており、干渉源および干渉源のＲＳＢはベースバンド外で減衰されるように提示されている。ＬＯ２を用いるダウンコンバージョンパスに関して、ベースバンドスペクトルは、ゼロＩＦでの（ｆ４に対応する）所望の信号およびベースバンドチャネル外の干渉源を提示している。図３では、２つの別々のダウンコンバージョンパスが使用されているので、受信機１００が、図２で提示されているような単一のダウンコンバージョンパスのケースに対して、干渉源のＲＳＢを所望の信号に配置してしまう（place）ことを有利に避けることができることが認識されるだろう。しかしながら、１つのダウンコンバージョンパスに対して２つのダウンコンバージョンパスを用いることはまた、受信機における電力消費を増加させうることも認識されるだろう。
【００１５】
[0019] 例えばスペクトルにおいて検出される干渉源の周波数および電力などの、チャネル条件に基づいて、受信機において１つ、２つ、またはそれ以上のダウンコンバージョンパス間で動的に切り替えるための技法を提供することは望ましい。
【００１６】
[0020] 本開示にしたがって、図１で提示されているような干渉源検出ブロック１２０は、スペクトルにおいて干渉源を検出するように用いられることができ、ブロック１２５は、検出された干渉源に基づいて有効にされたダウンコンバージョンパスの数を動的に構成することができる。実例となる実施形態では、干渉源検出ブロック１２０は、あらゆる周波数に存在する干渉電力を測定することができ、パス選択論理ブロック１２５は、そのような電力が所定のしきい値を超えるかどうかを決定しうる。干渉源周波数は、例えば所望の信号が期待される周波数に関する知識を使用して決定されうる。測定された干渉電力が所定のしきい値を超えない場合、単一のダウンコンバージョンパスが使用されうる。代わりとして、測定された干渉電力が所定のしきい値を超える場合、マルチプルなダウンコンバージョンパスが使用されうる。
【００１７】
[0021] 例えば、図２では、所定のしきい値Ｔ１はダウンコンバージョン前のスペクトルで提示されている。実例となる実施形態では、ｆ３での干渉源がＴ１を超えないため、単一のダウンコンバージョンパスは有効にされ、他のダウンコンバージョンパスは無効にされる。一方で、図３では、ｆ３での干渉源がＴ１を実際に超える場合、２つのダウンコンバージョンパスは有効にされる。記述されるようにダウンコンバージョンパスの数を動的に選択することによって、受信機性能および電力消費が効率的に最適化されうる。
【００１８】
[0022] 図４は、本開示にしたがった、２つのダウンコンバージョン信号パスを有する受信機４００の実例となる実施形態を例示している。図４で提示されている実例となる実施形態は、本開示の範囲を限定するように意図されておらず、図４で提示されているもの以外の信号パスの代わりの区分を有する他の実例となる実施形態が本開示の範囲内にあると考慮されることは留意されたい。
【００１９】
[0023] 図４では、アンテナ４１０は低雑音増幅器（ＬＮＡ）４２０に結合される。ＬＮＡ４２０の出力は、各ダウンコンバージョンパスに対して１つで、少なくとも２つの信号にＬＮＡのＲＦ信号出力を分割する分周器／分波器４３０に結合される。これらの信号の１つ目は、ＩおよびＱミキサ４４１、４４２、局部発振器４４３、およびトランスインピーダンス増幅器４４４および４４５を含む、ミキサブロック４４０の第１のダウンコンバージョン信号パスに提供される。２つめの信号は、ＩおよびＱミキサ４４６、４４７、局部発振器４４８、およびトランスインピーダンス増幅器４４９および４５０を含む、ブロック４４０の第２のダウンコンバージョン信号パスに提供される。ミキサブロック４４０の出力は、アナログデジタルコンバータ（ＡＤＣ）４５２、４５４、４５６、４５８によってデジタル化される。ＡＤＣのデジタル出力は、例えばデジタル計算および／またはフィルタリングを実行しうるデジタルブロック４６０に提供される。計算の一部として、ブロック４６０は、両方ともミキサブロック４４０のデジタル化された出力から計算されうる広帯域電力（ＷＢ）および狭帯域電力（ＮＢ）を含む干渉メトリックを出力しうる。
【００２０】
[0024] 実例となる実施形態では、広帯域電力（ＷＢ）は、ブロック４６０によって実行されるデジタルフィルタリングの前に、ブロック４４０のデジタル化されたＩ／Ｑ出力の合計Ｉ２＋Ｑ２（つまり、２乗振幅）を計算することによって計算されうる。一方で、狭帯域電力（ＮＢ）は、ブロック４４０のデジタル化されたＩ／Ｑ出力のフィルタリング後のバージョンの合計Ｉ２＋Ｑ２として計算されうる。受信するために単一のダウンコンバージョンパスを使用すべきか２つのダウンコンバージョンパスを使用すべきかを決定するために、図１で提示されたブロック１２５のようなパス選択論理ブロックは以下のような論理を用いうる：
もしＷＢ＜ＮＢ＋ＦＭである場合、単一のパスを有効にする；
もしＷＢ＞ＮＢ＋ＦＭである場合、２つのパスを有効にする；
ここにおいてＦＭは所定のフェージングマージンに対応する。
【００２１】
[0025] 図５は、本開示にしたがった、１つまたは２つのダウンコンバージョンパス間で切り替えるためのスキームの実例となる実施形態を例示している。２つ以上のダウンコンバージョンパスを適合させるためのスキームが本開示の点から容易に導き出され、そのような代わりの実例となる実施形態は、本開示の範囲内にあると考慮されることは認識されるだろう。
【００２２】
[0026] 図５のブロック５１０で、広帯域電力（ＷＢ）および狭帯域電力（ＮＢ）は、例えば、図４を参照して記述されるように測定される。
【００２３】
[0027] ブロック５２０で、ＷＢがＮＢ＋ＦＭよりも小さいかどうかが決定される。そうであるならば、スキームは、動作が単一のダウンコンバージョンパスに切り替えられる（または単一のダウンコンバージョンパスに留まる）ブロック５３０に進みうる。スキームはその後、ブロック５１０に戻る。
【００２４】
[0028] ＷＢがＮＢ＋ＦＭよりも大きい場合、スキームは、動作が２つ以上のダウンコンバージョンパスに切り替えられる（または２つ以上のダウンコンバージョンパスに留まる）ブロック５４０に進みうる。スキームはその後、ブロック５１０に戻る。
【００２５】
[0029] 代わりの論理スキームが、ダウンコンバージョン信号パスの数を選択するために検出された干渉情報を利用するように容易に設計されうることが認識されるだろう。例えば、代わりの実例となる実施形態では、１つのダウンコンバージョンパスから２つのダウンコンバージョンパスに切り替えるように利用されるしきい値またはマージンは、２つのダウンコンバージョンパスから１つのダウンコンバージョンパスに切り替えるように利用されるしきい値またはマージンとは異なりうる。ヒステリシスは、切り替えるための適切なレベルを決定するときにさらに用いられうる。所定のしきい値のいずれも、基地局から受信されたチャネル割り当て情報に依存して構成されうる。他のタイプのパス選択論理を用いる代わりの実例となる実施形態が、本開示の範囲内にあると考慮される。
【００２６】
[0030] 当業者は、多くの可能性のある技法が、本開示で明示的に記述されたもの以外に、干渉源検出のために用いられうることを、本開示の点から認識するだろう。例えば、干渉検出は、図４には提示されていない１つまたは複数のブロックを使用して、ＲＦまたはアナログドメインで実行されうる。さらに、代わりのデジタル技法がスペクトルにおける干渉源の存在を判断するために用いられうる。代わりとして、干渉源検出モジュールは、基地局またはあらゆる他の情報ソースから干渉源の強度の指示を受信しうる。当技術分野で知られている他のタイプの干渉検出技法を用いる実例となる実施形態は、本開示の範囲内にあると考慮される。
【００２７】
[0031] １つまたは複数の干渉源信号が所望の信号のグループ内にある周波数を有するある特定の実例となる実施形態が説明されている一方で、本開示の技法は干渉源信号が所望の信号のグループ外にある周波数を有するケースにも容易に適用されうることは認識されるだろう。図６は、追加の干渉源が周波数ｆ５で存在するダウンコンバージョン前スペクトルの実例となる実施形態を例示している。本開示にしたがって、図１におけるブロック１２０のような干渉源検出ブロックはまた、そのような干渉を検出し、そのような検出に基づいてダウンリンクコンバージョンパスの数を再構成するようにも構成されうる。そのような代わりの実例となる実施形態は、本開示の範囲内であると考慮される。
【００２８】
[0032] 図４に提示されている実例となる実施形態に対して、代わりの実例となる実施形態は、例えば、各ダウンコンバージョンパスに対する別々のＬＮＡおよび／またはアンテナを組み込みうる。特に、各ダウンコンバージョンパスが、別々のチップまたは集積回路で提供され、共通の干渉検出／パス選択論理モジュールが各ダウンコンバージョンパスに対応する回路を選択的に有効にするように提供されうる。そのような代わりの実例となる実施形態は、本開示の範囲内にあると考慮される。
【００２９】
[0033] 本開示の技法は、２つ以上のダウンコンバージョンパスを適合させるように容易に適用されうることは留意されたい。例えば、３つのダウンコンバージョンパスを有する受信機では、干渉源検出／パス選択論理モジュールは、干渉の検出されたレベルが１つ、２つ、またはそれ以上のしきい値と比較されることに応じて、ダウンコンバージョンパスのいずれか１つまたは２つを無効にするように構成されうる。そのような代わりの実例となる実施形態は、本開示の範囲内にあると考慮される。
【００３０】
[0034] 本明細書および特許請求の範囲では、要素が別の要素に「接続される」または「結合される」として称されるとき、それは他の要素に直接接続または結合されることができる、あるいは介在する要素が存在しうることは理解されるだろう。反対に、要素が別の要素に「直接接続される」または「直接結合される」とし称されるとき、どの介在する要素も存在しない。さらに、要素が別の要素に「電気的に結合される」として称されるとき、それは低抵抗のパスがそのような要素の間に存在することを指している一方で、要素が単に別の要素に「結合される」として称されるときはそのような要素の間に低抵抗のパスが存在することもある、または存在しないこともある。
【００３１】
[0035] 当業者では、情報および信号は、様々な異なる技術および技法のいずれかを使用して表されうることを理解するであろう。例えば、上の記述を通して参照されうるデータ、命令群、コマンド、情報、信号、ビット、シンボル、およびチップは、電圧、電流、電磁波、磁界あるいは磁気粒子、光学界または光学粒子、あるいはそれらのあらゆる組み合わせによって表わされうる。
【００３２】
[0036] 当業者はさらに、ここで開示されている実例となる態様と関係して記述されている様々な例示的な論理ブロック、モジュール、回路、およびアルゴリズムステップが電子ハードウェア、コンピュータソフトウェアまたは両方の組み合わせとしてインプリメントされうることを認識するであろう。ハードウェアおよびソフトウェアの互換性を明確に例示するために、様々な例示的なコンポーネント、ブロック、モジュール、回路、およびステップが、一般にそれらの機能の観点から上で記述されてきた。このような機能が、ハードウェアとしてインプリメントされるか、あるいはソフトウェアとしてインプリメントされるかは、特定のアプリケーションおよびシステム全体に課せられた設計制約に依存する。当業者は、各特定のアプリケーションに関して、多様な方法で、記述された機能をインプリメントすることができるけれども、このようなインプリメンテーションの決定は、本発明の実例となる態様の範囲からの逸脱を引き起こすと解釈されるべきでない。
【００３３】
[0037] ここで開示された実例となる態様に関係して記述された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいはここで記述された機能を実行するように設計されるそれらのあらゆる組み合わせで、インプリメントまたは実行されうる。汎用プロセッサはマイクロプロセッサでありうるけれども、代わりとしてプロセッサはあらゆる従来のプロセッサ、コントローラ、マイクロコントローラ、またはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアと関連する１つまたは複数のマイクロプロセッサ、または、あらゆる他のそのような構成としてインプリメントされうる。
【００３４】
[0038] ここで開示されている実例となる態様に関係して記述されているアルゴリズムまたは方法のステップは、直接ハードウェアにおいて、プロセッサによって実施されるソフトウェアモジュールにおいて、またはこれら２つの組み合わせにおいて、実現されうる。ソフトウェアモジュールは、ランダムアクセスメモリ（ＲＡＭ）、フラッシュメモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ（登録商標））、レジスタ、ハードディスク、リムーバルディスク、ＣＤ−ＲＯＭ、あるいは当技術分野において周知であるあらゆる他の形態の記憶媒体に属しうる。実例となる記憶媒体は、プロセッサが記憶媒体から情報を読み取り、また記憶媒体に情報を書き込むことができるように、プロセッサに結合される。代わりとして、記憶媒体は、プロセッサと一体化されうる。プロセッサおよび記憶媒体は、ＡＳＩＣに属しうる。ＡＳＩＣは、ユーザ端末に属しうる。代わりとして、プロセッサおよび記憶媒体は、ユーザ端末にディスクリートコンポーネントとして属しうる。
【００３５】
[0039] １つまたは複数の実例となる態様では、記述された機能は、ハードウェア、ソフトウェア、ファームウェア、またはそれらのあらゆる組み合わせでインプリメントされうる。ソフトウェアでインプリメントされた場合、機能は、１つまたは複数の命令またはコードとしてコンピュータ可読体上に記憶されうる、あるいは、１つまたは複数の命令またはコードとしてコンピュータ可読媒体上に送信されうる。コンピュータ可読媒体は、１つの場所から別の場所へのコンピュータプログラムの転送を容易にするあらゆる媒体を含むコンピュータ記憶媒体および通信媒体の両方を含む。記憶媒体は、コンピュータによってアクセスされうるあらゆる利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光学ディスク記憶装置、磁気ディスク記憶または他の磁気記憶デバイス、あるいはコンピュータによってアクセスされうる、ならびに命令またはデータ構造の形態で所望のプログラムコードを伝達または記憶するために使用されうるあらゆる他の媒体を備えることができる。また、あらゆる接続手段が、コンピュータ可読媒体と適切に呼ばれる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される、ディスク（Ｄｉｓｋ）およびディスク（ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、およびブルーレイ（登録商標）ディスクを含み、ディスク（Ｄｉｓｋ）は大抵データを磁気的に再生し、ディスク（ｄｉｓｃ）は、レーザで光学的に再生する。上記の組み合わせは、また、コンピュータ可読媒体の範囲内に含まれるべきである。
【００３６】
[0040] 開示された実例となる態様の先の記述は、いかなる当業者であっても、本発明を製造または使用できるようにするために提供される。これらの実例となる態様に対する様々な変更は当業者に容易に明らかとなり、ここで定義された一般的な原理は、本発明の趣旨または範囲から逸脱することなく、他の実例となる態様に適用されうる。したがって、本開示は、ここで提示された実例となる態様に限定されるようには意図されず、ここで開示される原理および新規な特徴と一致する最も広い範囲を与えられることになる。
以下に、本願出願の当初の特許請求の範囲に記載された発明を付記する。
［Ｃ１］
無線周波数（ＲＦ）信号を処理するための装置であって、
第１のミックス周波数を使用して前記ＲＦ信号から導き出された第１の信号をダウンコンバートするように構成された第１のダウンコンバージョンパスと、
前記第１のミックス周波数とは別個の第２のミックス周波数を使用して、前記ＲＦ信号から導き出された第２の信号をダウンコンバートするように構成された第２のダウンコンバージョンパスと、
を備え、
前記ＲＦ信号における干渉源の検出されたレベルが第１の所定のしきい値よりも低いとき、前記第２のダウンコンバージョンパスは無効にされるように構成可能である、装置。
［Ｃ２］
前記ＲＦ信号に存在する前記干渉源のレベルを検出するように構成された干渉源検出モジュールをさらに備える、Ｃ１に記載の装置。
［Ｃ３］
前記検出された干渉源レベルが第１の所定のしきい値よりも低いときに前記第２のダウンコンバージョンパスを無効にするように構成されたパス選択論理モジュールをさらに備える、Ｃ１に記載の装置。
［Ｃ４］
前記検出された干渉源レベルが第２の所定のしきい値よりも高いとき、前記パス選択論理モジュールは前記第２のダウンコンバージョンパスを有効にするようにさらに構成される、Ｃ３に記載の装置。
［Ｃ５］
前記第２の所定のしきい値は、前記第１の所定のしきい値に等しい、Ｃ４に記載の装置。
［Ｃ６］
前記第１および第２のダウンコンバージョンパスの各々は、前記ＲＦ信号を局部発振器信号の同相（Ｉ）および直角位相（Ｑ）のバージョンとミックスするように構成された２つのミキサを備える、Ｃ１に記載の装置。
［Ｃ７］
前記第１および第２のダウンコンバージョンパスの出力をデジタル化するための少なくとも１つのアナログデジタルコンバータをさらに備え、前記干渉源検出モジュールは、デジタルドメインにおいて前記干渉源のレベルを検出するように構成されたモジュールを備える、Ｃ２に記載の装置。
［Ｃ８］
前記干渉源検出モジュールは、前記デジタル化された第１のダウンコンバージョンパス出力の２乗振幅を前記デジタル化された第１のダウンコンバージョンパス出力のフィルタリングされたバージョンの２乗振幅と比較するように構成され、前記装置は、前記デジタル化された第１のダウンコンバージョンパス出力の２乗振幅がデジタル化された第１のダウンコンバージョン回路出力よりも大きいとき、前記第２のダウンコンバージョンパスを有効にするように構成される、Ｃ７に記載の装置。
［Ｃ９］
前記干渉源検出モジュールは、基地局から干渉源強度の指示を受信する、Ｃ２に記載の装置。
［Ｃ１０］
前記第１の所定のしきい値は、基地局から受信されたチャネル割り当て情報に依存して構成される、Ｃ１に記載の装置。
［Ｃ１１］
前記第１のダウンコンバージョンパスおよび前記第２のダウンコンバージョンパスは、ゼロＩＦコンバージョン回路を備える、Ｃ１に記載の装置。
［Ｃ１２］
前記第１の信号および前記第２の信号の両方は、単一の低雑音増幅器（ＬＮＡ）の出力から導き出される、Ｃ１に記載の装置。
［Ｃ１３］
前記第１の信号は、第１のＬＮＡおよび第１のアンテナから導き出され、前記第２の信号は、第２のＬＮＡおよび第２のアンテナから導き出される、Ｃ１に記載の装置。
［Ｃ１４］
前記第１のＬＮＡ、第１のアンテナ、および第１のダウンコンバージョンパスは、第１のチップに提供され、前記第２のＬＮＡ、第２のアンテナ、および第２のダウンコンバージョンパスは第２のチップに提供される、Ｃ１３に記載の装置。
［Ｃ１５］
前記第１のダウンコンバージョンパスおよび前記第２のダウンコンバージョンパスは低ＩＦコンバージョン回路を備える、Ｃ１に記載の装置。
［Ｃ１６］
前記第１および第２の信号は同じ信号である、Ｃ１に記載の装置。
［Ｃ１７］
無線周波数（ＲＦ）信号を処理するための方法であって、
前記ＲＦ信号から導き出された第１の信号を第１の周波数を有する第１の局部発振器信号とミックスすることと、
前記ＲＦ信号から導き出された第２の信号を前記第１の周波数とは別個の第２の周波数を有する第２の局部発振器信号とミックスすることと、
前記ＲＦ信号に存在する干渉源の検出されたレベルが第１の所定のしきい値よりも低い場合、前記第２の信号をミックスすることを無効にすることと、
を備える方法。
［Ｃ１８］
前記検出された干渉源レベルが第２の所定のしきい値よりも高い場合、前記第２の信号をミックスすることを有効にすることをさらに備える、Ｃ１７に記載の方法。
［Ｃ１９］
無線周波数（ＲＦ）信号を処理するための装置であって、
第１のミックス周波数を使用して前記ＲＦ信号をダウンコンバートするための第１のダウンコンバージョン手段と、
検出された干渉源レベルが第１の所定のしきい値よりも高いとき、前記第１のミックス周波数とは別個の第２のミックス周波数を使用して前記ＲＦ信号をダウンコンバートするための第２のダウンコンバージョン手段と、
を備える装置。
［Ｃ２０］
前記ＲＦ信号に存在する干渉源のレベルを検出するための干渉源検出手段をさらに備える、Ｃ１９に記載の装置。
［Ｃ２１］
前記検出された干渉源レベルが第１の所定のしきい値よりも低いときに第２のダウンコンバージョンパスを無効にするためのパス選択論理手段をさらに備える、Ｃ２０に記載の装置。
［Ｃ２２］
コンピュータに無線周波数信号（ＲＦ）を処理するための受信機を構成させるためのコードを記憶するコンピュータプログラム製品であって、前記受信機は第１のミックス周波数を使用して前記ＲＦ信号から導き出された第１の信号をダウンコンバートするように構成された第１のダウンコンバージョンパスを備え、前記受信機はさらに、前記第１のミックス周波数とは別個の第２のミックス周波数を使用して前記ＲＦ信号から導き出された第２の信号をダウンコンバートするように構成された第２のダウンコンバージョンパスを備え、前記コードは、
前記コンピュータに前記ＲＦ信号に存在する干渉源のレベルを検出させるためのコードと、
前記コンピュータに、前記検出された干渉源レベルが第１の所定のしきい値よりも低いとき、前記第２のダウンコンバージョンパスを無効にさせるためのコードと、
を備える、コンピュータプログラム製品。
【図１】
0005788609.tif 000002
【図２】
0005788609.tif 000003
【図３】
0005788609.tif 000004
【図４】
0005788609.tif 000005
【図５】
0005788609.tif 000006
【図６】
0005788609.tif 000007